(57)【要約】【課題】ベースとベースを支持する据付脚の固定部の変形、分離の防止や室外機本体の傾き、転倒の防止及び据付工事性を改善し、強固で安定した支持ができ、さらに据付工事性に優れた据付脚を有する空気調和機の室外機を提供すること。【解決手段】室外機の底面を構成し、全外周にベースフランジを形成したベースと、ベースを支持し、設置面に固定される据付脚と、据付脚の両端寄りに設けられ、ベースフランジに重合し挟み込むように形成された立設部と、を備え、ベースの底面と据付脚の上面とを垂直方向に固定すると共に、立設部のベースフランジとの前後重合部にて水平方向に固定することを特徴とする。【選択図】　　　　図２
2004144312.tif 000002
【特許請求の範囲】
【請求項１】
室外機の底面を構成し、全外周にベースフランジを形成したベースと、
前記ベースを支持し、設置面に固定される据付脚と、
前記据付脚の両端寄りに設けられ、前記ベースフランジに重合し挟み込むように形成された立設部と、
を備え、前記ベースの底面と前記据付脚の上面とを垂直方向に固定すると共に、前記立設部の前記ベースフランジとの前後重合部にて水平方向に固定することを特徴とする空気調和機の室外機。
【請求項２】
前記立設部は切り起こしにより形成することを特徴とする請求項１に記載の空気調和機の室外機。
【請求項３】
前記垂直方向及び水平方向の固定は、溶接により行うことを特徴とする請求項１に記載の空気調和機の室外機。
【請求項４】
前記垂直方向及び水平方向の固定は、締結により行うことを特徴とする請求項１に記載の空気調和機の室外機。
【請求項５】
前記据付脚の設置面側にフランジを設けたことを特徴とする請求項１に記載の空気調和機の室外機。
【請求項６】
室外機の底面を構成し、全外周にベースフランジを形成したベースと、前記ベースを支持し、設置面に固定される据付脚と、前記据付脚の両端寄りに設けられ、前記ベースフランジに重合し挟み込むように形成された立設部とを有する空気調和機の室外機において、
前記ベースの底面と前記据付脚の上面とを垂直方向に固定すると共に、前記立設部の前記ベースフランジとの前後重合部にて水平方向に固定することを特徴とする空気調和機の室外機の製造方法。
【発明の詳細な説明】
【０００１】
【発明の属する技術分野】
この発明は、空気調和機の室外機に係わり、空気調和機の室外機のベースと、そのベースを支持する据付脚の構造に関するものである。
【０００２】
【従来の技術】
従来の空気調和機の室外機は、空気調和機の室外機本体の底面に設けられたベースと、それを支持する据付脚とを備えている。室外機本体の輸送時や現地設置においては、据付脚をボルト等にて設置面に固定している。また、この時、据付脚と接地面の接触部は据付脚の線状態の材料厚み分のみである。
【０００３】
ベースとそれを支持する据付脚の固定は、ベースの底面とそれに接する据付脚の上面において、垂直方向のみ溶接またはネジにてベースの前後方向に複数箇所固定されている。水平方向においては、ベースと、それを支持する据付脚の固定構造は設けていない。
【０００４】
また、他の従来の空気調和機の室外機は、室外機の底面を構成するベースの前後の立上り縁に凹部を形成する一方、ベースの底面に立上り縁に対応して摺動自在に移動できる切り起こし部を備えた複数の支持体を設け、切り起こし部の少なくとも一方にネジ孔を設けてネジ締めにより支持体をベースに固定できるようにしている（例えば、特許文献１参照）。
【０００５】
【特許文献１】
実開平３−３７３３６号公報
【０００６】
【発明が解決しようとする課題】
従来の空気調和機の室外機では、室外機本体の底面に設けられたベースと、そのベースを支持する据付脚の固定部が垂直方向のみの為、現地設置前の輸送時や設置後の強風、地震時に室外機本体が風圧、振動等を受けた場合に、ベースと据付脚の固定部には引張力が発生し、その引張力に耐えられず固定部の変形または分離が起こることで室外機本体が不安定な状態となり、更には室外機本体の傾き、転倒に至る危険性があった。
【０００７】
また、室外機本体の荷重が、据付脚と接地面との接触部である据付脚の線状態の材料厚み分のみに集中することから、据付脚自体の強度不足が懸念されると共に輸送時または設置後の室外機本体の安定性に問題があった。
【０００８】
さらに、室外機本体の据付工事において据付脚をボルト等で設置面へ固定する際、据付脚位置決めの為の室外機本体移動時は、据付脚と接地面との接触部が据付脚の線状態の材料厚み分のみとなる為、据付脚が設置面に引っ掛かったりして微妙な位置調整による移動が容易に行えず、据付工事性が悪いという問題があった。
【０００９】
また、他の空気調和機の室外機では、切り起こし部のネジ孔に螺着されるネジをベースの立上り縁の凹部に向けて締め付けることにより支持体をベースに固定しているだけであり、ベースと支持体の結合強度は不十分であった。
【００１０】
この発明は、上記のような問題点を解決するためになされたもので、ベースとベースを支持する据付脚の固定部の変形、分離の防止や室外機本体の傾き、転倒の防止及び据付工事性を改善し、強固で安定した支持ができ、さらに据付工事性に優れた据付脚を有する空気調和機の室外機及び空気調和機の室外機の製造方法を提供することを目的とする。
【００１１】
【課題を解決するための手段】
この発明に係る空気調和機の室外機は、室外機の底面を構成し、全外周にベースフランジを形成したベースと、ベースを支持し、設置面に固定される据付脚と、据付脚の両端寄りに設けられ、ベースフランジに重合し挟み込むように形成された立設部と、を備え、ベースの底面と据付脚の上面とを垂直方向に固定すると共に、立設部のベースフランジとの前後重合部にて水平方向に固定することを特徴とする。
【００１２】
【発明の実施の形態】
以下、この発明の実施の形態を図面に基づいて説明する。
実施の形態１．
図１、２は実施の形態１を示す図で、図１は空気調和機の室外機の構成図、図２は図１で示すＡ部の部分拡大斜視図である。図１において、室外機本体１は、底面にベース２が設けられ、ベース２は据付脚３で支持される。据付脚３は輸送時や現地設置において、ボルト４等にて設置面５に固定される。
【００１３】
次に、ベース２と、ベース２を支持する据付脚３の固定について図２にて説明する。先ず、ベース２はベースフランジ２ａを全外周に形成した凹形状を有している。一方、それに対して据付脚３はベース２の下面前後間で重合し支持するための長めの金属板で形成されており、垂直方向７におけるベース２の底面と据付脚３の上面は垂直方向溶接部１０にてベース２の前後方向に複数箇所固定されている。
【００１４】
また、据付脚３の金属板前後両端寄りにはベースフランジ２ａに重合し挟み込むように据付脚３の切り起こし部９（立設部）を形成すると共に、切り起こし部９のベースフランジ２ａとの前後重合部にて水平方向８における水平方向溶接部１１にて固定されている。
切り起こし部９は、切り起こしでなく、別ピースを立設させてもよい。
【００１５】
垂直方向７のみでなく水平方向８も含めた両方向にてベース２と据付脚３を固定することにより、ベース２と据付脚３は強固で安定した固定を行うことができる。
【００１６】
また、この時、垂直方向７及び水平方向８におけるベース２、ベースフランジ２ａと据付脚３の固定に関しては、溶接ではなく、それぞれ重合固定部にネジ穴を設けてネジ等の固定でも構わない。
【００１７】
上述の実施の形態によれば、ベース２と、ベース２を支持する据付脚３との固定箇所を垂直方向７及び水平方向８の両方に形成することにより、室外機本体１を強固に支持でき、室外機本体１の傾きや転倒を防止することができる。
【００１８】
実施の形態２．
以下、実施の形態２における室外機について図２にて説明する。図２に示すように、据付脚３の設置面５側の端部両側をＬ字形に形成し、フランジ面３ｂを設けたものである。この時、フランジ面３ｂは据付脚３の前後方向全長について形成されており、フランジ面３ｂ全面が設置面５に接触している状態である。
但し、フランジ面３ｂは据付脚３の前後方向のほぼ全長に形成されていればよい。
【００１９】
この時、室外機本体１の荷重を、据付脚３と設置面５の接触部である据付脚３のフランジ面３ｂ全面で受けることにより、従来の線状態の材料厚み分のみに室外機本体１の荷重が集中していた場合と比較すると、室外機本体１の荷重が分散されてフランジ面３ｂにかかることになる。つまり、据付脚３の接地面積を拡大することで、据付脚３と設置面５の接触部に発生する単位面積当たりの応力を低減できることになり、据付脚３自体の強度を上げると共にベース２、室外機本体１を安定した状態で支持することができる。
【００２０】
また、据付脚３にフランジ面３ｂを設けたことにより、設置面５との接触が従来の線状態から面状態となり、据付脚３が設置面５で滑りやすくなることで、据付脚３の移動を容易に行える。
【００２１】
上述の実施の形態によれば、据付脚３の設置面側にフランジ面３ｂを形成し、据付脚３の接地面積を拡大することにより、据付脚３の強度を上げると共に室外機本体を強固に支持でき、室外機本体の傾きや転倒を防止することができる。
【００２２】
また、据付脚３の接地面側にフランジ面３ｂを形成したことで、室外機本体１の据付工事作業時、室外機本体１を設置面上で容易に滑り動かすことができ、据付脚３の固定位置の微調整が容易に行えることで、据付工事性を改善することができる。
【００２３】
【発明の効果】
この発明に係る空気調和機の室外機は、室外機の底面を構成し、全外周にベースフランジを形成したベースと、ベースを支持し、設置面に固定される据付脚と、据付脚の両端寄りに設けられ、ベースフランジに重合し挟み込むように形成された立設部と、を備え、ベースの底面と据付脚の上面とを垂直方向に固定すると共に、立設部のベースフランジとの前後重合部にて水平方向に固定することにより、室外機本体を強固に支持でき、室外機本体の傾きや転倒を防止することができる。
【図面の簡単な説明】
【図１】実施の形態１を示す図で、空気調和機の室外機の構成図である。
【図２】実施の形態１、２を示す図で、図１で示すＡ部の部分拡大斜視図である。
【符号の説明】
１　室外機本体、２　ベース、２ａ　ベースフランジ、３　据付脚、３ｂ　フランジ面、４　ボルト、５　設置面、７　垂直方向、８　水平方向、９　切り起こし部、１０　垂直方向溶接部、１１　水平方向溶接部。
【図１】
2004144312.tif 000003
【図２】
2004144312.tif 000004